(57)【特許請求の範囲】
【請求項１】
紫外線ランプを有する脱臭装置と、
前記ランプへ消灯信号又は点灯信号が入力されたとき、前記ランプの現在の状態を予め定められた時間維持し、かつ該時間内で認識した信号をキャンセルし、該時間経過後に入力されている信号に応じて前記ランプを消灯又は点灯させる制御装置と、を備えてなる空気清浄器。
【請求項２】
集塵装置と、
弱風モード、中風モード又は強風モードで運転されるファンと、
前記弱風モード、前記中風モード及び前記強風モードを連続的にかつ循環して選択する送風モード選択手段と、
前記ファンが前記弱風モードのとき消灯し、前記中風モード又は前記強風モードのとき点灯する紫外線ランプを有する脱臭装置と、
前記送風モード選択手段により現在のモードが変更されたとき、前記ランプの状態を予め定められた時間維持し、かつ該時間内で認識したモードをキャンセルし、該時間経過後に選択されているモードに応じて前記ランプを消灯又は点灯させる制御装置と、を備えてなる空気清浄器。
【請求項３】
紫外線を光触媒へ照射させることにより空気中の臭気成分を分解する脱臭装置において、前記紫外線を放出する紫外線ランプを制御する方法であって、
前記ランプへ消灯信号又は点灯信号が入力されたとき、該ランプの現在の状態を予め定められた時間維持し、かつ該時間内で認識した信号をキャンセルし、該時間経過後に入力されている信号に応じて前記ランプを消灯又は点灯させることを特徴とする紫外線ランプの制御方法。
【請求項４】
集塵装置と、
弱風モード、中風モード又は強風モードで運転されるファンと、
前記弱風モード、前記中風モード及び前記強風モードを連続的にかつ循環して選択する送風モード選択手段と、
前記ファンが前記弱風モードのとき消灯し、前記中風モード又は前記強風モードのとき点灯する紫外線ランプを有する脱臭装置と、を備えてなる空気清浄器の制御方法であって、
前記送風モード選択手段により現在のモードが変更されたとき、前記ランプの状態を予め定められた時間維持し、かつ該時間内で認識したモードをキャンセルし、該時間経過後に選択されているモードに応じて前記ランプを消灯又は点灯させることを特徴とする空気清浄器の制御方法。
【発明の詳細な説明】
【０００１】
【発明の属する技術分野】
この発明は空気清浄器及びその制御方法に関する。更に詳しくは、空気清浄器に内蔵される脱臭装置の紫外線ランプの制御の改良に関する。
【０００２】
【従来の技術】
紫外線を用いて光触媒を活性化させ臭気成分を分解除去する構成の脱臭装置を備えた空気清浄器が例えば特開平９ー１９６４７号公報に開示されている。
この公報において脱臭装置の紫外線ランプの制御については特に記載されていない。
【０００３】
【発明が解決しようとする課題】
本発明者らはこのようなタイプの空気清浄器を改良するために鋭意検討を重ねてきた結果、下記の課題に当面した。
【０００４】
紫外線ランプは消耗品であるのでその寿命をできるだけ長くすることが望まれる。そのためには、紫外線ランプのオン（点灯）・オフ（消灯）の回数をできる限り少なくすることが好ましい。
【０００５】
空気清浄器の運転モードの如何によっては、紫外線ランプをオフとして消費電力の節減を図ることが望ましい場合がある。例えば、室内の空気の汚れ及び臭気が小さい場合には、送風量を抑える（送風を弱風モードとする）とともに紫外線ランプをオフとして脱臭装置を停止させても何ら支障がない。
【０００６】
このように送風が弱風モードのときに紫外線ランプがオフとなるように当該紫外線ランプを制御すると、他の送風のモード（中風モード、強風モード、これらのモードでは紫外線ランプはオンとされる）から弱風モードへ切り換えたとき紫外線ランプはオフとなり、一方その逆のときには紫外線ランプはオンとなる。
【０００７】
空気清浄器の利用者は紫外線ランプのオン・オフを考慮して送風のモードを選択するわけではないので、送風モードを頻繁に切り換えることがある。そうすると、紫外線ランプのオン・オフの回数が多くなり、その寿命を著しく低下させることにもなりかねない。
【０００８】
特に、利用者の使い勝手を考慮して図２に示すように操作器のボタンを少なくしたとき、１つの風量ボタンにより強風モード→弱風モード→中風モード→強風モード（以下繰り返し）のように各モードが連続的にかつ循環して切り換えられることとなる。この場合、強風モードから中風モードへ切り換えようとすると、必ず弱風モードを経由しなければならない。従って、紫外線ランプを考えると、強風モードから弱風モードへ切り換えるときに一旦紫外線ランプがオフとなり、弱風モードから中風モードへ切り換えるとき紫外線ランプは再度オンとなる。従って、強風モードから中風モードへ切り換えるとき、紫外線ランプが不必要にオフ・オンされることとなる。
【０００９】
【課題を解決するための手段】
この発明は、本発明者らが見いだした上記の課題を解決するためになされた。即ち、この発明の第１の局面によれば、紫外線ランプを有する脱臭装置と、紫外線ランプへ消灯信号又は点灯信号が入力されたとき、紫外線ランプの現在の状態を予め定められた時間維持し、該時間経過後に入力されている信号に応じて紫外線ランプを消灯又は点灯させる制御装置と、を備えてなる空気清浄器が提案される。
【００１０】
このように構成された空気清浄器によれば、例えば紫外線ランプをオフするために消灯信号が当該紫外線ランプへ入力されたとき、当該信号に従って直ぐに紫外線ランプをオフすることなく紫外線ランプの現在の状態、即ちオンの状態を所定の時間維持する。そして、入力された信号が変更されておらず依然として消灯信号であれば、当該所定の時間経過後に紫外線ランプをオフとする。一方、所定の時間経過後に入力された信号が消灯信号から点灯信号に変更されていた場合には、紫外線ランプをオフすることなくオンの状態を維持する。
同様に、紫外線ランプをオンするために点灯信号が当該紫外線ランプへ入力されたとき、当該信号に従って直ぐに紫外線ランプをオンすることなく紫外線ランプの現在の状態、即ちオフの状態を所定の時間維持する。そして、入力された信号が変更されておらず依然として点灯信号であれば、当該所定の時間経過後に紫外線ランプをオンとする。一方、所定の時間経過後に入力された信号が点灯信号から消灯信号に変更されていた場合には、紫外線ランプをオンすることなくオフの状態を維持する。
【００１１】
上記において、所定の時間は２〜２０秒とすることが好ましい。実施例では１０秒とした。発明が解決しようとする課題の欄で説明した強風モードから中風モードに切り換える例に照らして考えると、本発明の空気清浄器によれば、弱風モードを経由したとしても、通常の場合当該所定の時間の経過する間に中風モードまで切換えが進んでいる。よって、当該所定の時間経過後には紫外線ランプへ点灯信号が入力された状態となる。従って、紫外線ランプはオンの状態が維持され、不必要にオフ及びオンすることがなくなる。
【００１２】
このような所定の待ち時間を設けても、紫外線ランプのオン・オフは利用者に見えるものではなく、また、その後の運転時間を考えれば空気清浄器の性能に影響を与えることもない。
【００１３】
この発明の空気清浄器を別の局面からより具体的に説明すると次のようになる。  即ち、  集塵装置と、
弱風モード、中風モード又は強風モードで運転されるファンと、
弱風モード、中風モード及び強風モードを連続的にかつ循環して選択する送風モード選択手段と、
ファンが弱風モードのとき消灯し、中風モード又は強風モードのとき点灯する紫外線ランプを有する脱臭装置と、
ファンが中風モード又は強風モードから弱風モードへ切り換えられた後該弱風モードが予め定められた第１の待ち時間経過後も維持されたときランプを消灯させるランプ制御手段と、を備えてなる空気清浄器である。
【００１４】
上記において、第１の待ち時間は２〜２０秒とすることができる。
このように構成された空気清浄器を、発明が解決しようとする課題の欄で説明した強風モードから中風モードへ切り換える例に照らして考えれば、強風モードから弱風モードへ切り換えた後、第１の待ち時間が経過する前に弱風モードから中風モードへ切り換わると、紫外線ランプはオンの状態が維持される。よって不必要な紫外線ランプのオン・オフを防止することができる。
【００１５】
上記の例では、空気清浄器のファンのモードに紫外線ランプのオン・オフをリンクさせた。勿論、モードの種類、数、及びこれらのモードに対する紫外線ランプのオン・オフのリンクの態様は上記に限られるものではない。
【００１６】
【発明の実施の形態】
以下、本発明の実施の形態を実施例に基づき説明する。
図１は実施例の空気清浄器１の構成を示す。この空気清浄器１は換気部１０、清浄部２０から大略構成される。換気部１０及び清浄部２０はケーシング２に内蔵される。このケーシング２は壁に埋め込まれる筐体部３と室内に表出されるフロントパネル４から構成される。フロントパネル４の下縁側には室内空気の取り入れ口５が開口し、その上縁側には清浄化した空気の吹き出し口６が開口している。筐体部３の換気部１０側の下面にも室内空気の取り入れ口７が開口しており、これより取り込まれた空気は換気部１０により室外へ排出される。筐体部３の換気部１０側の背面には室内空気の排出口８と室外空気の取り入れ口９が開口しており、それぞれ図示しないダクトで室外と連通している。
【００１７】
換気部１０は排気用ファン１１、給気用ファン１２及び熱交換器１３から構成される。排気用ファン１１と給気用ファン１２には汎用的なものが利用でき、それぞれ図示しない同じく汎用的なモータによって回転される。排気用ファン１１と給気用ファン１２とはパーティション１５によって仕切られている。室内の空気は取り入れ口７、熱交換器１３を通って排気用ファン１１により排出口８より室外へ排出される。室外の空気は取り入れ口９から給気用ファン１２により取り込まれ、熱交換器１３を通って清浄部２０へ送られる。
【００１８】
熱交換器１３は室内空気の取り入れ口７と排気用ファン１１とを連通するコルゲートの第１の層１３ａと給気用ファン１２より送られた室外空気を清浄部２０側へ連通させるコルゲートの第２の層１３ｂを交互に積層したものである。熱交換器１３は熱伝導率の高い材料で形成される。
なお、かかる熱交換器は例えば特開平５ー２６９３２３号公報に記載されているように周知なものである。
【００１９】
排気用ファン１１と給気用ファン１２とはパーティション１５で仕切られているので、排出される室内の空気と吸引される室外の空気が混じりあることはない。熱交換器１３においても室内空気と室外空気はそれぞれが専用のコルゲート層１３ａと１３ｂを通過するので、ここにおいても混じり合うことはない。熱交換器１３は吸引した室外空気を排出する室内空気で暖め、もって室内の温度が急激に変化することを防止している。
【００２０】
空気清浄部２０は下段の集塵装置２１、上段の脱臭装置２７およびクロスフローファン３３から構成される。
集塵装置２１はイオン化電極２３と集塵電極２５からなる。両者の間に高電圧を印加すると、イオン化電極２３でコロナ放電が開始する。この放電によって生じたイオンが空気中の塵芥に接するとこの塵芥は正に帯電する。そして、正に帯電した塵芥は集塵電極２５に吸引される。
また、コロナ放電によってイオン風が生じる。従って、室内の空気の汚れが小さいときには、クロスフローファンを停止させてこのイオン風のみによって室内の空気を循環させることもできる。
【００２１】
実施例ではイオン化電極２３として３本の放電線を用いた。集塵電極２５としては、マイナス側の導電性フィルムと、プラス側の導電線フィルムをポリプロピレン等の絶縁性樹脂でコートしたフィルムとを巻回したものを用いた。集塵電極２５に吸引された塵芥は当該電極フィルムに付着して離れなくなる。イオン化電極２３と集塵電極２５とに印加される電圧は、それぞれ５．６５kV、２．４kVとした。
この集塵装置２１は周知な構成である。例えば、特開平９ー１９６４７号公報を参照されたい。
【００２２】
脱臭装置２７は３本の紫外線ランプ２９とこれを上下に挟む一対の光触媒フィルタ３０、３１からなる。光触媒フィルタは通気性のある基体に臭気成分の吸着剤としての活性炭、活性炭繊維、シリカゲル等と二酸化チタン等からなる光触媒とを担持させ、若しくはこれらを練り込んでなる構成である。
基体の材質及び構造は空気を通過させかつ光触媒を安定して保持するものであれば特に限定されないが、ハニカム状の紙若しくは金属を用いることができる。また、活性炭と光触媒とをバインダで固めてこれをハニカム状にしてもよい。
【００２３】
光触媒は臭気成分を酸化分解できるものであれば特に限定されず、Ｔｉの他にも、Ｃｕ、Ｚｎ、Ｌａ、Ｍｏ、Ｖ、Ｓｒ、Ｂａ、Ｃｅ、Ｓｎ、Ｆｅ、Ｗ、Ｍｇ及びＡｌの各酸化物及び貴金属よりなる群より選ばれる少なくとも１種を用いることができる。
【００２４】
このような光触媒フィルタ３０、３１に紫外線が照射されると光触媒が活性化して活性炭に吸着された臭気成分が酸化分解される。詳しくは特開平９ー１９６４７号公報を参照されたい。
【００２５】
この実施例では、集塵電極２５と紫外線ランプ２９との間に紫外線フィルタ３０を介在させ、紫外線が集塵電極２５に直接照射する量が少なくなるようにしている。これにより、集塵電極２５の劣化をより少なくすることができる。
【００２６】
この実施例のクロスフローファン３３はその風量が３段階に調節できる。
【００２７】
図中の符号３５はにおいセンサ、符号３６はダストセンサ、符号３７は室内の光度センサ、符号３９は操作器４０からの赤外線操作信号を受信する赤外線受信部である。符号６０は制御ユニットを示す。
【００２８】
操作器４０を図２に示す。
図２において、ボタン４１は空気清浄器１の自動運転のオン・オフを操作するものであり、自動運転中はボタン４１内のＬＥＤランプ４２が点灯する。
ボタン４３は、清浄運転のオン・オフを操作するものであり、清浄運転中はボタン４３内のＬＥＤランプ４４が点灯する。
ボタン４５は、換気運転のオン・オフを操作するものであり、換気運転中はボタン４５内のＬＥＤランプ４６が点灯する。
【００２９】
ボタン４７は自動運転以外のときの風量を選択するためのものであり、このボタン４７を押すことにより、強風モード→弱風モード→中風モード→強風モード（以下この繰返し）と風量のモードが連続してかつ循環して切り換えられる。
選択された風量のモードに対応したＬＥＤランプ４８〜５０のいずれか一つが点灯する。
【００３０】
汚れモニタはにおいセンサ３５及びダストセンサ３６の出力に応じて点灯する。例えば、室内の空気の汚れが中程度のとき、即ち臭気成分の濃度が所定の第１の閾値を超え、かつ塵芥の濃度が所定の第２の閾値を超えたとき下側の１つのＬＥＤランプ５３が点灯する。更に室内の空気の汚れがひどくなると、即ち臭気成分の濃度が所定の第３の閾値を超え、かつ塵芥の濃度が所定の第４の閾値を超えたとき上下２つのＬＥＤランプ５２、５３が共に点灯する。上記の比較及びＬＥＤランプ５２、５３の制御は制御ユニット６０により行われる。
なお、操作器４０は周知の赤外線信号発生装置（図示せず）を備える。
【００３１】
図３は実施例の空気清浄器１のブロック図である。主制御装置６１とメモリ６３は制御ユニット６０に収納されている。
なお、図３において、赤外線受信部３９を省略して操作器４０を直接、有線で主制御装置６１と連結してもよい。
【００３２】
次ぎに実施例の空気清浄器１の動作について説明する。なお、各動作はメモリ６３に予め保存されている制御プログラムに基づいて主制御装置６１が各要素を制御することにより実行される。
【００３３】
ボタン４１が押されて自動運転モードが選択されると、においセンサ３５及びダストセンサ３６により検出された臭気成分及び塵芥の濃度が予めメモリ６３にテーブル形式で保存されているそれぞれの参照値と比較される。この比較の結果に応じてクロスフローファン３３の風量が強、中、弱の送風モードのいずれかに選択される。なお、この自動運転モードでは紫外線ランプは常にオンの状態にある。集塵装置２１にも常に電圧が印加されている。実施例の自動運転モードでは換気部１０を動作させないが、この換気部１０も併せて自動運転することもできる。
【００３４】
この自動運転モードにおいて、図示しない室内側の温度センサで測定した室内の温度が所定の温度を超え、かつ図示しない室外側の温度センサで測定した室外の温度が室内の温度より低い場合に、換気部１０の給気ファン１２のみを駆動して排気ファン１１は停止させ、即ち熱交換がされない状態で冷えた外気を室内に取り込み室温を低下させることができる。
【００３５】
ボタン４３が押されて空気清浄モードが選択されると、ボタン４５によりクロスフローファン３３の風量が手動で選択可能となる。このとき、換気部１０は動作しない。操作器４０のボタンの数をできるだけ少なくするために、風量の選択は１つのボタン４５のみにより行う。従って、風量は強風モード→弱風モード→中風モード→強風モード（以下、この繰り返し）のように切り換えられる。弱風モードにおいて紫外線ランプ２９がオフとなると、強風モードから中風モードに切り換えるとき、必ず弱風モードが経由されるので不必要に紫外線ランプ２９がオン・オフされることとなる。
【００３６】
そこでこの実施例では、図４に示す制御によりかかる不必要な紫外線ランプ２９のオン・オフを防止している。
【００３７】
ボタン４５が押されて換気モードが選択されると、既述の空気清浄モードの動作に加えて、換気部１０が活性化される。即ち、排気用ファン１１及び給気用ファン１２が稼働して室内外の空気の換気が空気清浄動作と併せて実行される。このとき室外から取り込まれた空気は清浄部２０を通過して室内へ供給される。
なお、換気モードのときは紫外線ランプを常にオンとしておいてもよい。
【００３８】
図４は紫外線ランプの制御を示すフローチャートである。
ステップ１で現在選択されている風量のモードを検出し、ステップ３で検出した風量モードが単位時間前の風量モードから変更されたものであるか否かを比較する。
【００３９】
風量モードが変更されていないときは（ステップ３：Ｎ）ステップ１に戻る。風量モードが変更されていたときは（ステップ３：Ｙ）ステップ５に進み、当該変更があった後の経過時間が１０秒以内であるか否か判断する。
【００４０】
経過時間が１０秒以内であるときは（ステップ５：Ｙ）、ステップ３での「風量の変更があった」という認識をキャンセルし（ステップ６）、変更される前の風量モードに対応した状態に紫外線ランプ２９を維持する（ステップ７）。一方、経過時間が１０秒を超えたときには（ステップ５：Ｎ）、紫外線ランプの状態を変更後の風量モードに対応したものとする（ステップ９）。
【００４１】
強風モードから中風モードへ切り換えるときを例に採り、図４の制御をより具体的に説明すると次のようになる。なお、弱風モードでの滞留時間は極短く、１０秒以下であるとする。
まず、風量は強風モードから弱風モードへ切り換わるので、ステップ３でこの変更が認識される。しかし、弱風モードでの滞留時間は極短いので、ステップ５からステップ９へ進むことはなく、ステップ６及びステップ７にあるとおり強風モードでの紫外線ランプの状態、即ちオンの状態が維持される。
【００４２】
そのうちに、風量は弱風モードから中風モードへ切り換える。この変更があってから１０秒が経過するまでの制御はステップ１→ステップ３→ステップ５→ステップ６→ステップ７→ステップ１のループを繰り返す。ここで、ステップ６により強風モード→弱風モード→中風モードなる変更の認識がキャンセルされているので、直前の風量モードは強風モードとなり、紫外線ランプはオンの状態を維持する。
【００４３】
そして、１０秒の待ち時間が経過すると、ステップ９へ進み中風モードに対応した紫外線ランプの状態、即ちオンの状態が維持される。従って、強風モードから中風モードへ切り換えても紫外線ランプはオンの状態を維持し、途中で消灯されることはない。
【００４４】
また、弱風モードの状態から誤操作により中風モードへ切り換えられたときを考える。このとき、速やかに、即ち１０秒以内に中風モードから強風モードを介して弱風モードへ戻せば、ステップ５からステップ９へ進むことがない。従って、紫外線ランプ２９はオフの状態が維持され、点灯することがない。
【００４５】
図５及び図６は他の実施例の空気清浄器の動作を示す。この実施例において空気清浄器の装置の構成、即ちハードは前の実施例のそれと同一である。なお、この実施例の動作の説明は弱風モードから中風モードへ切り換える際に誤操作がなされた場合を想定している。
【００４６】
図５は風量と紫外線ランプ２９の状態を示すタイムチャートである。図５中の時点(1)ないし(10)における装置の動作は図６のフローチャートに同じ番号(1)〜(10)を付すことにより明らかになる。
【００４７】
例えば時点(1)では、主制御装置６１に内蔵される図示しないタイマは停止しているので、ステップ１０１からステップ１０３に進む。ここで風量のモードが認識されるが、時点(1)では風量モードが変更されていないので（ステップ１０５；Ｎ）、紫外線ランプ２９の状態を維持して、即ち図５の場合では紫外線ランプ２９のオフの状態を維持して（ステップ１１９）、ステップ１０１に戻る。
【００４８】
時点(2)では同様にタイマが動作していないのでステップ１０１からステップ１０３に進む。ここで風量のモードの変更が認識され（ステップ１０５；Ｙ）、ステップ１０７でタイマをスタートさせる。紫外線ランプ２９の状態は維持されたままである（ステップ１１９）。
【００４９】
時点(3)〜(9)ではタイマが動作しているので（時点(2)でタイマがスタートした）、ステップ１０９へ進みここで風量モードを認識する。その後、タイマスタートからの時間が１０秒を経過したか否か判断する（ステップ１１１）。時点(3)〜(8)では１０秒経過していないのでステップ１１３へ進む。このステップ１１３ではステップ１０９で認識した風量のモードがキャンセルされる。従って、紫外線ランプ２９の状態は何ら変化されることがない（ステップ１１９）。図５の場合では紫外線ランプ２９はオフの状態を維持する。
【００５０】
時点(9)では、タイマスタートからの経過時間が１０秒を経過するので、ステップ１１５へ進む。このステップ１１５ではタイマを一旦停止させる。そして、ステップ１１７において紫外線ランプ２９の状態をステップ１０９で認識した風量モードに対応したものとする。図５の例では風量モードが中風モードであるので、紫外線ランプ２９をオンとする。
【００５１】
時点(10)ではタイマが動作していないので（ステップ１１５でタイマが停止されている）、ステップ１０１からステップ１０３に進む。ここで風量のモードが認識されるが、時点(10)では風量モードが変更されていないので（ステップ１０５；Ｎ）、紫外線ランプ２９の状態を維持し、即ち図５の場合では紫外線ランプ２９のオンの状態を維持し（ステップ１１９）、ステップ１０１に戻る。
【００５２】
【発明の効果】
以上説明したように、この発明の空気清浄器によれば、紫外線ランプをオフするために消灯信号が当該紫外線ランプへ入力されたとき、当該信号に従って直ぐに紫外線ランプをオフすることなく紫外線ランプの現在の状態、即ちオンの状態を所定の時間維持する。そして、入力された信号が変更されておらず依然として消灯信号であれば、当該所定の時間経過後に紫外線ランプをオフとする。一方、所定の時間経過後に入力された信号が消灯信号から点灯信号に変更されていた場合には、紫外線ランプをオフすることなくオンの状態を維持する。
同様に、紫外線ランプをオンするために点灯信号が当該紫外線ランプへ入力されたとき、当該信号に従って直ぐに紫外線ランプをオンすることなく紫外線ランプの現在の状態、即ちオフの状態を所定の時間維持する。そして、入力された信号が変更されておらず依然として点灯信号であれば、当該所定の時間経過後に紫外線ランプをオンとする。一方、所定の時間経過後に入力された信号が点灯信号から消灯信号に変更されていた場合には、紫外線ランプをオンすることなくオフの状態を維持する。
【００５３】
よって、紫外線ランプの不必要なオン・オフが未然に回避でき、紫外線ランプの寿命を延命することができる。
【００５４】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【図１】図１は本発明の実施例の空気清浄器を示す一部切り欠き及び部分透視斜視図である。
【図２】図２は同操作器の平面図である。
【図３】図３は同空気清浄器の構成要素を示すブロック図である。
【図４】図４は同じく紫外線ランプの制御を示すフローチャートである。
【図５】図５は他の実施例の空気清浄器の風量モードと紫外線ランプの状態を示すタイムチャートである。
【図６】図６は同じく紫外線ランプの制御を示すフローチャートである。
【符号の説明】
１  空気清浄器
１０  換気部
１１  排気用ファン
１２  給気用ファン
１３  熱交換器
２０  清浄部
２１  集塵装置
２７  脱臭装置
２９  紫外線ランプ
３０、３１  光触媒フィルタ
４０  操作器
【図１】
0003841126.tif 000002
【図２】
0003841126.tif 000003
【図３】
0003841126.tif 000004
【図４】
0003841126.tif 000005
【図５】
0003841126.tif 000006
【図６】
0003841126.tif 000007